(57)【要約】      （修正有）【課題】呼び出し発生者に関連する呼び出された者への地理的情報の決定および表示。【解決手段】ローカル電話交換局（ＣＯ）交換台または移動交換センターからの呼び出し番号供給（ＣＮＤ）メッセージを受信するための受信手段；呼び出し発生者から受信されたエリヤコードおよび／またはローカル電話交換局番号を整合することによって市および／または州のごとき対応する地理的情報を決定するためのデータベースライブラリを含んでいるマイクロコントローラ記憶および検索装置；および到来する呼び出しの市および州を表示するための読み出し装置を含んでいる。システムは、新たなエリヤコードおよび／またはローカル交換が連続して割り当てられるので、記憶および検索装置のデータベースライブラリを自動的に更新するような可能性を含んでいる。【選択図】図３
2005198218.tif 000002
【特許請求の範囲】
【請求項１】
地理的呼び出し人情報の進歩的な決定および表示用の改良された復号化および処理システムにおいて、
呼び出し識別データを含んでいる切り換えセンターからのＣＮＤメッセージを受信するための受信手段；
前記ＣＮＤメッセージを復号化することによって対応する地理的呼び出し人情報を選択的に決定するためのデータベースライブラリを含みそして前記呼び出し発生者の地理的呼び出し人情報を決定するために前記データベースライブラリと復号化されたメッセージを相関する記憶および検索装置；および
到来する呼び出しの地理的情報を表示するための読み出し装置を含んでいることを特徴とする改良された復号化および処理システム。
【請求項２】
前記ＣＮＤメッセージは移動ステーション切り換えセンターから受信されることを特徴とする請求項１に記載の改良された復号化および処理システム。
【請求項３】
前記ＣＮＤメッセージはローカル電話交換局交換台から受信されることを特徴とする請求項１に記載の改良された復号化および処理システム。
【請求項４】
前記記憶および検索装置は、新たなエリヤコードおよび／またはローカル電話交換局が連続して割り当てられるので、前記記憶および検索装置のデータベースライブラリを自動的に更新するような可能性を含んでいることを特徴とする請求項１に記載の改良された復号化および処理システム。
【請求項５】
標準データフィールドがダイヤルされた番号用のデータフィールドであることを特徴とする請求項１に記載の改良された復号化および処理システム。
【請求項６】
呼び出しデータ文字流れが前記標準データフィールドの内容を置き換えることを特徴とする請求項１に記載の改良された復号化および処理システム。
【請求項７】
前記呼び出しデータ文字流れがデータベース中に記憶された情報を参照することを特徴とする請求項１に記載の改良された復号化および処理システム。
【請求項８】
前記呼び出しデータ文字流れが電話呼び出しの声部分を処理するのに使用されることを特徴とする請求項１に記載の改良された復号化および処理システム。
【請求項９】
前記呼び出し地理的情報が前記呼び出し発生者の市識別であることを特徴とする請求項１に記載の改良された復号化および処理システム。
【請求項１０】
前記呼び出し地理的情報が前記呼び出し発生者の州識別であることを特徴とする請求項１に記載の改良された復号化および処理システム。
【請求項１１】
前記呼び出し地理的情報が絵で表示されることを特徴とする請求項１に記載の改良された復号化および処理システム。
【発明の詳細な説明】
【技術分野】
【０００１】
本発明は、一般的には遠距離通信の科学に関する。より詳細には、本発明は、呼び出している者および／または呼び出し発生者について呼び出された者へ進歩的な地理的情報を提供するためのシステムに関する。
【背景技術】
【０００２】
現在、電話システムは呼び出している電話（呼び出し番号および／またはＡＮＩ）および呼び出された電話（ダイヤルされた番号）についての制限された標準識別情報を含むように徐々に発展した。この情報は電話呼び出しが委ねられる電話番号および呼び出し人によってダイヤルされる電話番号から主として得られる。電話システムはこれら２つの番号を基本情報源（例えば呼び出しを送るためのおよび請求書作成目的のための）として認知しかつこれらの番号が満足するはずであるデータ文字フィールド用の標準のシステムを開発した。以下の背景情報は合衆国の電話システムによって今日使用されかつ同様に国際標準に適用されるような制限された電話識別のこれらの標準を良好に説明する。
【発明の開示】
【発明が解決しようとする課題】
【０００３】
自動番号識別
自動番号識別（ＡＮＩ）は公衆およびプライベート電話通信網を通して搬送される電話呼び出しの基本的要素である。北米番号付け計画（ＮＡＮＰ）に関して、それは現在１０桁と長い。ＡＮＩは、すなわち、呼び出し送信、呼び出し請求書作成、呼び出し追跡、および呼び出し識別の、広範囲にわたって使用される。
【０００４】
ＡＮＩに基づく呼び出し送信
呼び出し電話番号に基づくエリヤコード送信は多くの長距離電話通信網において認められる共通の特徴である。呼び出している者の番号（ＡＮＩ）に基づいて呼び出しが送信されおよび／または電話スイッチ、電話通信網、および設備によって特別な処理を受容することができる。幾つかの交換キャリヤ（ＩＸＣ’ｓ）（ＡＴ＆Ｔ，ＭＣＩ，Ｓｐｒｉｎｔ（スプリント）等）およびローカル交換会社（ＬＥＣ’ｓ）（アメリテック）は最初の３桁またはそれ以上のＡＮＩ桁スクリーニングに通常基づく非常に高められた呼び出し送信の形状を提供する。
【０００５】
最初の３つのＡＮＩ桁に基づく呼び出し送信は通常エリヤコード送信として参照される。例えば、呼び出している番号ＡＮＩが６１４／８４７−６１６１であるならば、その場合にエリヤコード送信はＡＮＩの″６１４″部分とみなしそして送信規則および他の要因（例えば、利用可能なエージェント、呼び出し量、利用可能な回線、１日の時間、曜日、パーセント割り当ておよび他の要因）に基づいて、送信ルーチンおよび計算を開始するために広い地理的データ要素として″６１４″を使用するオハイオ発生の呼び出しを送信する。
【０００６】
最初の３つ以上のＡＮＩ桁に基づく呼び出し送信はより多くの地理的精度を許容する。ほとんどのＡＮＩ’ｓは地理的関係を有している。ベルコア（Ｂｅｌｌ  Ｃｏｒｅ）はＡＮＩの最初の６桁によって示されるエリヤコード／電話交換局（ならびにＬＥＲＧに収容される他のデータ）用の近似の経度および緯度を付与するＬＥＲＧ（ローカル電話交換局送信ガイド）を発行している。例えば、呼び出し番号６１４／８４７−６１６１に関して、″６１４−８４７″成分がオハイオの地理的表示およびノースコロンバス／ワシントンの大都市エリヤを有する。エリヤコード−電話交換局（ＮＰＡ−ＮＸＸ）送信能力が呼び出している者（ＡＮＩ）に関してより多くの送信明瞭度を付与する。″６１４／８４７−６１６１″のＡＮＩによる８００番号への呼び出し人が牽引サービスに接続されている必要にあるならば、その場合に地理的に最も接近した牽引サービスが牽引ジョブ（より短い走行時間および考え得る最低のコストにおいて）を取り扱うように識別されるかもしれない。
【０００７】
呼び出し識別
呼び出し人のＡＮＩの最も広いかつ良く知られた使用の１つは呼び出し人ＩＤ（呼び出し人識別）である。呼び出し人ＩＤの概念は、呼び出しが応答される前に呼び出し人のＡＮＩを呼び出しの受け取り人に照会させることである。ＡＮＩは１９７０年代にＣＣＩＴＴによって定義されたＩＳＤＮ（統合サービスデジタル通信網）のキー要素であった。呼び出し人のＡＮＩは、より早くないならば、２つの製品の形、すなわち、
１．１−８００アクセス型サービス；
２．統合サービスデジタル通信網（ＩＳＤＮサービス）
において、１９７０年代から電話通信網に加わった。
【０００８】
多くの会社、ビジネス、および個人が、−その１つが呼び出し人のＡＮＩである−呼び出しのデータ要素を得るためにＩＳＤＮ、デジタルアクセス、および／または呼び出しＩＤを使用している。
【０００９】
呼び出し人のＡＮＩは留保されかつ呼び出しが公衆電話通信網（および、通常、もし可能ならば、プライベート電話通信網）を通過したとき、通される。例えば、呼び出し人ＡＮＩはＬＥＣ，ＩＸＣ，ＣＡＰ（競合するアクセスプロバイダ）、ＰＢＸ，ＡＣＤ，エージェント等々を横切ることができ、そこで最終受け取り人が呼び出し人のＡＮＩ（すなわち、呼び出し人ＩＤ）を受信する。
【００１０】
多くの通常の呼び出し人ＩＤは到来する電話番号を表示するが、非常に僅かの人間はエリヤコード毎に地理的に認知することができる。これに関連して、米国特許第６，００９，１４９号、同第６,１３７,８７０号、および同第６，２９８，１２２号が参照され、それらの開示はこれによりこの参照によって組み込まれている。さらに、ほとんどの呼び出し人ＩＤ使用者は多少のローカル交換およびそれらの対応する市以上を固有に知らない。
【００１１】
使用されている新たなエリヤコードの常に増大している数により、当該技術に熟練した者は市および州呼び出し人情報の進歩的な決定および表示を復号化かつ処理するための改良されたシステムの顕著な要求を認めた。本発明はこれらの要求を実現する。
【課題を解決するための手段】
【００１２】
改良された復号化および処理システムは呼び出し発生者に関連する呼び出された者への地理的情報の進歩的な決定および表示を備える。改良されたシステムはローカル電話交換局（ＣＯ）交換台または移動ステーション切り換えセンターからの呼び出し番号供給（ＣＮＤ）メッセージを受信するための受信手段；呼び出し発生者から受信されたエリヤコードおよび／またはローカル電話交換局番号を整合することによって市および／または州のごとき対応する地理的情報を選択的に決定するためのデータベースライブラリを含んでいるマイクロコントローラ記憶および検索装置；および到来する呼び出しに関連付けられる地理的情報を表示するための読み出し装置を含んでいる。好ましくは、システムは、新たなエリヤコードおよび／またはローカル電話交換局が連続して割り当てられるので、記憶および検索装置のデータベースライブラリを自動的に更新するような可能性を含んでいる。したがって、改良されたシステムは、エリヤコードおよびローカル電話交換局番号の常に増大している数を決定することができる市/州呼び出し人識別の好都合なかつ有効な表示をユーザに備える。
【００１３】
市/州情報はまったく大きいので、それをできるだけ有効に記憶することに関心がある。これは、また、迅速サーチの要求を満足させる。
【００１４】
好ましくは、システムは新たなエリヤコードおよび／またはローカル電話交換局が連続して割り当てられるので、そのデータベースを自動的に更新するような手段を含んでいる。オフフック回路を備えた呼び出し人ＩＤボックスおよびダイヤリング可能性を有するかかるシステムにおいて、データベース装置は更新のために周期的な割合でサーバを呼び出すようにプログラムされる。更新されたエリヤコードおよび関連のデータは次いでサーバから呼び出し人ＩＤボックスのＦＳＫデコーダを使用する装置へ転送される。移動セルラー電話の場合に、更新はＳＭＳメッセージ、ＷＡＰリンク、またはケーブルによるＰＣへの直接接続によりより大きな多様性において達成される。
【００１５】
したがって、改良されたシステムは、エリヤコードおよびローカル電話交換局番号の常に増大している数を決定することができる市および州呼び出し人識別の好都合なかつ有効な表示を使用者に備える。
【発明を実施するための最良の形態】
【００１６】
改良されたデコーディングおよび処理システムは呼び足し発生者に関する呼び出された者への地理的呼び出し人情報の進歩的な決定および表示のために設けられる。改良されたシステムはローカル電話交換局（ＣＯ）交換台または移動ステーション切り換えセンターからの呼び出し番号供給（ＣＮＤ）メッセージを受信するための受信手段；呼び出し発生者から受信されたエリヤコードおよび／またはローカル交換番号を整合することによって市および／または州のごとき対応する地理的情報を選択的に決定するためのデータベースライブラリを含んでいるマイクロコントローラ記憶および検索装置；および到来する呼び出しの市および州を表示するための読み出し装置を含んでいる。好ましくは、システムは、新たなエリヤコードおよび／またはローカル電話交換局が連続して割り当てられるので、記憶および検索装置のデータベースライブラリを自動的に更新するような可能性を含んでいる。したがって、改良されたシステムは、エリヤコードおよびローカル電話交換局番号の常に増大している数を決定することができる呼び出し人識別に関連付けられる地理的情報の好都合なかつ有効な表示をユーザに提供する。
【００１７】
次に図面を参照して、図１は本発明の１つの実施の形態を示している。呼び出し人識別受信手段９は呼び出し発生電話番号を含んでいるローカル電話交換局交換台からＭＤＭＦまたはＳＤＭＦフォーマットメッセージを受信する。データベース記憶手段１０、例えば、マイクロコントローラは次いで呼び出し発生信号から受信されたエリヤコードおよび／またはローカル電話交換局番号を整合することによって市および／または州のごとき対応する地理的情報を見出す。記憶手段１０は内部または外部メモリを備えることができる。記憶手段１０は一般的には更新のために再び書き込み可能であるＦＬＡＳＨ，ＥＥＰＲＯＭ、または他の不揮発性メモリ装置である。記憶手段から引き出された信号はその後到来する呼び出しの市および州を表示するための読み出し装置に送信される。
【００１８】
他の実施の形態において、図２は、そのさいＣＮＤデータがワイヤレス接続を介して装置に送信される移動セルラーサービス用のシステムを示している。
【００１９】
次に図２を参照すると、移動セルラーサービス用の受信機を含んでいる本発明のさらに他の実施の形態の概略ブロック図が示されている。これに関連して、呼び出し番号供給メッセージは移動ステーション切り換えセンター２１を通して送信されかつその後ベースステーションコントローラ２２へ送信される。メッセージはその後複数のベースステーション２３へ送信される。受信装置は移動セルラーサービス用のＣＤＭＡ受信機でありかつホストマイクロコントローラによってセルラーデータパケットから復号される。データベース記憶手段１０、例えば、マイクロコントローラは、次いで受信機２４から受信されたエリヤコードおよび／またはローカル交換番号を整合することによって対応する地理的情報を見出しかつ出力信号をデータベースから到来する呼び出しの地理的情報を表示するための表示装置８に送信する。
【００２０】
両方の実施の形態において主マイクロコントローラはデータベースメモリに直接接続されることができる。代替的に、追加のホストマイクロコントローラオーバーヘッドが許容されることができないとき、または一体化の容易のために、データベース共同プロセッサが利用され得る。さらに、データベース共同プロセッサおよびシリアルＦＬＡＳＨメモリは現存するデザインに完全なカスタム単一チップ解決を形成するためにともに結合されることができる。
【００２１】
北米番号付け計画（ＮＡＮＰ）は使用に利用可能な６８０のエリヤコードを有している。これらのうち、現在４０以上のエリヤコードがＮＡＮＰに関与する他の国に使用されている。それらの対応するローカル電話交換局によりメモリ内の６８０のエリヤコードすべてに直接アクセスするために１２８ＭＢ以上の記憶装置を必要とする。より顕著なリーディングデジットによる外国における番号付け計画は直接アドレスされるならば同様により大きな記憶条件を有している。非常に多くの方法がデータの有効な記憶および圧縮のために存在している。
【００２２】
呼び出し人ＩＤボックスにより一般的に使用されるマイクロコントローラは低コストでかつそれゆえ遅いので、市および州情報は迅速検索用のルックアップテーブルを使用して組織される。
【００２３】
【表１】
2005198218.tif 000003
【００２４】
現在決定されていないエリヤコードはあらゆるメモリ位置に追加されることができる。現在定義されないコードはブランクのままである。
【００２５】
市および州情報がかなり大きいのでできるだけ有効にそれを記憶するのに関心がある。州名はその略号により各エリヤコード表の初めに１度だけ記憶される。市名は、また、その関連の交換により追随される１度だけ記憶される。電話交換局は一般に付与された市に関して連続して割り当てられないので、すべての電話交換局が別個に掲記されねばならない。電話交換局コード０００は電話交換局がＮＡＮＰに実際に存在しないので記録の終りを示すのに使用される。
【００２６】
【表２】
2005198218.tif 000004
【００２７】
市および州情報が現在通用していないならば、到来する呼び出し情報はメモリ内のいずれの入口にも整合することができない。公知のエリヤコードであるが電話交換局に失敗している場合に、州名がさらに表示される。これは、また、少ない電話交換局のすべてを含まないより小さいメモリを備えた装置に使用され得る。
【００２８】
好ましくは、システムは、新たなエリヤコードおよびローカル電話交換局が割り当てられ続けるので、自動的にそのデータベースを更新するような手段を含んでいる。これに関連して、オフフック回路またはダイヤリングの可能性を有する装置は、更新用の周期的割合でサーバを呼び出すようにプログラムされることができる。データは次いでサーバから呼び出し人ＩＤボックスのＦＳＫデコーダを使用する装置に送信される。
【００２９】
以下は図３における本発明システムの図示の実施の形態である。
【００３０】
他の実施の形態において、ＣＮＭはラインインターフェース１１へ、かつ次いで受信手段１２へ送信される。受信手段１２はフィジカル層ＦＳＫおよびＣＡＳ信号を受信するための低電力モノリシック混合信号ＣＭＯＳ集積回路である。オンフック受信に関して、装置はリングまたは受信手段１２を備えたＦＳＫデコーダによって検出されたチャンネル占拠の存在によって変更される。オフフック受信に関して、ベルコア（Ｂｅｌｌｃｏｒｅ’ｓ）の呼び出し変更信号（ＣＡＳ）が集積回路によって検出される。両方の場合において、ＦＳＫ信号はマイクロコントローラ１７によって復号化されかつＮＰＡが得られる。マイクロコントローラ１７は次いで市および州データベースメモリ１４中のルックアップテーブルとＮＰＡの最初の３つの桁を比較する。対応するエリヤコード用のメモリアドレスがいったん見出されると整合が市データを読み取るようにＮＸＸになされることができる。市および州データは次いで他の標準名および番号呼び出し人ＩＤ情報とともにＬＣＤ２０上に表示される。
【００３１】
受信更新はオフフック受信が可能である装置に便宜的に設けられ得る。装置は現行の市および州データを含む中央サーバを呼び出すように組み込みのＤＴＭＦダイヤラを使用する。サーバは、ＤＴＭＦトーンを有する装置によって確認される、ＣＡＳ信号を使用して移動を開始する。サーバは次いであらゆる更新されたエリヤコードおよび電話交換局を送りそしてその装置はそのＦＳＫデコーダを使用して受信する。マイクロコントローラは次いで更新されたＮＰＡ／ＮＸＸ情報によりメモリ内のデータベースを更新する。
【００３２】
以下は図４における本発明のシステムの図示実施の形態である。
【００３３】
他の実施の形態において、受信装置２４は移動セルラーサービス用のＣＤＭＡ受信機である。ＣＮＤが受信されかつホストマイクロコントローラ１７によってセルラーデータパケットから復号化される。マイクロコントローラ１７は次いで市および州データベースメモリ１４中のルックアップテーブルとＮＰＡの最初の３つの桁を比較する。対応するエリヤコード用のメモリアドレスがいったん見い出されると、整合が市データを読み取るようにＮＸＸになされることができる。市および州データは次いで他の標準名および番号呼び出し人ＩＤ情報とともにＬＣＤ２０上に表示される。完全なグラフィック表示によるセルラー電話は地理的位置情報を絵で交互にまたは追加的に表示することができる。
【００３４】
データベースへの更新はＳＭＳ（ショートメッセージサービス）によって受信される。キャリヤ（ｃａｒｒｉｅｒ’ｓ）のサーバはＳＭＳを介して更新されたＮＰＡ／ＮＸＸ情報を送信する。ホストマイクロコントローラ１７はフラッシュメモリ内のデータベースに更新されたＮＰＡ／ＮＸＸ情報を書き込む。
【００３５】
前記はＮＡＮＰ（Ｎｏｒｔｈ  Ａｍｅｒｉｃａｎ  Ｎｕｍｂｅｒｉｎｇ  Ｐｌａｎ）について示したけれども、当該技術に熟練した者は、本発明のシステムがまた外国の番号付け計画に使用され得ることを認める。これに関連して外国は特定の国において地理的に相関され得る同等の識別者情報を有する。
【００３６】
例えば、メキシコは、段階的に多分実行された一連の番号付け計画の変更を、最近、完了した。最初の段階はローカル番号を標準の７桁に拡大することであった。高い電話密度を有する３つの市−メキシコシティー、グアダラジャラおよびモントレー−はすでに８桁のローカル番号を有しそしてこの番号付け計画の変更にしたがわなかった。また用語ローカル番号が加入者番号（ＳＮ）に変更されることが計画変更において推奨された。最初のローカル番号は、幾つかの例外を有するが、長さにおいて５桁であったと思われる。消費者に関して変更をより容易にするために、２つの剰余の数字が現存するエリヤコードの最後の桁から取られかつローカル番号の初めに置かれた。これは暫定的な期間にわたって単一桁のみをエリヤコードにした。
【００３７】
ローカル番号変更に続いて、国の番号が８から１０桁に拡大された。国番号は国コード（５２）、地域識別番号（ＲＩＮ）およびローカル番号から構成される。ＲＩＮは、また、エリヤコードとして参照されるが、それは今や国指定コード（ＮＤＣ）と呼ばれることが推奨されている。
【００３８】
すべての要求によって２００１年１１月に有効になった、この番号付け計画変更により、各ローカルサービスエリヤは新たな地域識別番号（すなわち、３桁エリヤコード）が割り当てられた。再び、メキシコシティー、グアダラジャラおよびモントレーはそれらの現存する８桁のローカル番号のため例外でありかつ２桁のエリヤコードが割り当てられた。幾つかの場所は少なくとも上位１００市の新たなＲＩＮｓのリストを有する。
【００３９】
近年において、オーストラリアが、また、標準化を達成しかつ拡大を許容するために番号計画変更に段階的に動いた。ローカル番号は８桁に標準化された。十分に関心を引いて、番号付け計画変更前の適所の５４エリヤコードが単なる４つのエリヤコード−０２，０３，０８および０７に減少された。追加的に、すべての移動電話番号は、ネットワークに関係なく、０４のエリヤコードを有している。ここでまた、古いエリヤコードが現存するローカル番号の前方にそれらを置くことによってローカル番号を拡大するのに使用されたように見える。
【００４０】
英国の国の番号付け計画は、割り当てられ、解放され、保護され、留保されるかまたは指定されないそれらすべての電話番号のリストである。計画は番号付け計画用の枠組みを提供しかつオフテル（Ｏｆｔｅｌ）によって管理される英国の特殊化された番号付け計画（ＳＮＳ）を含んでいる。しかしながら、オフテルはすべての電話番号を制御しない。例えば、端末ユーザ用の電話サービスへのアクセスを設ける、オフテルによって管理されない記憶可能な３ないし６桁数字である、ショートコードがある。
【００４１】
国の重要な番号（ＮＳＮ）は英国の番号付け計画の部分である。ＮＳＮは地理的エリヤコード（以前には国指定コード）および加入者番号からなっている。英国は１０桁ＮＳＮｓ（’０１’ の国コードを含んでいない） を標準にするように取り組んでいる。これは７桁の加入者番号に追随される３桁のエリヤコード、または６桁の番号によって追随される４桁のコードからなっている。一方、エリヤコードは、今日、３ないし６桁からの範囲にかつ加入者番号は３ないし７桁から範囲にすることができる。
【００４２】
日本におけるエリヤコードは長さにおいて１ないし５桁にすることができる。加入者番号（すなわち、ローカル電話交換局番号＋加入者番号）はその場合に長さにおいて４ないし８にすることができる。日本用の中継線プレフィックスはまた’０’である。日本の重要な番号は’ＯＡＢＣＤＥＦＧＨＩＪＫ’で表され、その結果英国のように、電話番号長さは、１１桁を超えない。電話番号は’１’で始まることができない。移動電話番号は固定線から別個のプレフィックスを有している。
【００４３】
したがって、改良されたシステムはエリヤコードおよびローカル電話交換局番号の常に増大している数を決定することができる呼び出し人識別に関連付けられる地理的情報の好都合でかつ有効な表示をユーザに備える。
【図面の簡単な説明】
【００４４】
【図１】地上通信線に基づいたシステム用の呼び出し発生点に関連する地理的情報の進歩的な決定および表示に関して本発明の１つの具体化された形状を示す概略ブロック図である。
【図２】移動セルラーサービス用の本発明のシステムの１つの具体化された形状を示す概略ブロック図である。
【図３】地上通信線に基づいたシステム用の地理的情報の記憶のためのフラッシュメモリ要素を含んでいる本発明の他の具体化された形状を示す概略ブロック図である。
【図４】移動セルラー電話用のフラッシュメモリ記憶手段を有しているさらに他の実施の形態を示す概略ブロック図である。
【図１】
2005198218.tif 000005
【図２】
2005198218.tif 000006
【図３】
2005198218.tif 000007
【図４】
2005198218.tif 000008
【外国語明細書】
2005198218.tif 000009
2005198218.tif 000010
2005198218.tif 000011
2005198218.tif 000012
2005198218.tif 000013
2005198218.tif 000014
2005198218.tif 000015
2005198218.tif 000016
2005198218.tif 000017
2005198218.tif 000018
2005198218.tif 000019
2005198218.tif 000020
2005198218.tif 000021
2005198218.tif 000022
2005198218.tif 000023
2005198218.tif 000024
2005198218.tif 000025
2005198218.tif 000026
2005198218.tif 000027
2005198218.tif 000028
2005198218.tif 000029
2005198218.tif 000030
2005198218.tif 000031
【図１】
2005198218.tif 000032
【図２】
2005198218.tif 000033
【図３】
2005198218.tif 000034
【図４】
2005198218.tif 000035